(57)【特許請求の範囲】
【請求項１】
移動端末からハンドオーバー情報を提供する情報サーバのネットワーク上の位置を検索する方法において、
ルータ広告（ＲＡ）伝達装置から、前記情報サーバのネットワーク上の位置情報及びＩＰｖ６アドレス設定に必要な情報を含むルータ広告（ＲＡ）メッセージを受信するステップと、
前記ＲＡメッセージから前記情報サーバのネットワーク上の位置情報及びＩＰｖ６アドレス設定に必要な情報を抽出するステップと、
前記抽出した位置情報を用いて前記情報サーバにハンドオーバー情報を要求するステップと、を含み、
前記ＲＡメッセージは、前記ＩＰｖ６アドレス設定に必要な情報を示すＩＰｖ６ＲＡメッセージと前記位置情報を表すオプションとを含み、
前記位置情報を表すオプションは、
前記オプションが位置情報オプションであることを表すタイプフィールドと、
前記位置情報の長さを表す長さフィールドと、
前記位置情報を含む位置情報フィールドと、を含むことを特徴とする情報サーバの位置検索方法。
【請求項２】
前記ＲＡメッセージを受信するステップは、
前記移動端末から前記ＲＡ伝達装置に情報サーバの位置情報を要請するルータ要請(ＲＳ）メッセージを伝送するステップと、
前記ＲＡ伝達装置から前記ＲＳメッセージに対応して伝送されたＲＡメッセージを受信するステップと、を含むことを特徴とする請求項１に記載の情報サーバの位置検索方法。
【請求項３】
前記ＲＡメッセージを受信するステップは、
前記ＲＡ伝達装置から周期的に伝えられるＲＡメッセージを受信するステップを含むことを特徴とする請求項１に記載の情報サーバの位置検索方法。
【請求項４】
ハンドオーバー情報を提供する情報サーバのネットワーク上の位置を検索する装置において、
ルータ広告（ＲＡ）伝達装置から、前記情報サーバのネットワーク上の位置情報及びＩＰｖ６アドレス設定に必要な情報を含むＲＡメッセージを受信するルータ広告受信部と、
前記ＲＡメッセージから前記情報サーバのネットワーク上の位置情報及びＩＰｖ６アドレス設定に必要な情報を抽出する位置情報抽出部と、を備え、
前記抽出した位置情報を用いて前記情報サーバにハンドオーバー情報が要求され、
前記ＲＡメッセージは、前記ＩＰｖ６アドレス設定に必要な情報を示すＩＰｖ６ＲＡメッセージと前記位置情報を表すオプションとを含み、
前記位置情報を表すオプションは、
前記オプションが位置情報オプションであることを表すタイプフィールドと、
前記位置情報の長さを表す長さフィールドと、
前記位置情報を含む位置情報フィールドと、を含むことを特徴とする情報サーバの位置検索装置。
【請求項５】
前記位置検索装置は、前記移動端末から前記ＲＡ伝達装置に情報サーバの位置情報を要請するＲＳメッセージを伝送する要請メッセージ伝送部をさらに備え、
前記ルータ広告受信部は、前記ＲＡ伝達装置から前記ＲＳメッセージに対応して伝送されたＲＡメッセージを受信することを特徴とする請求項４に記載の情報サーバの位置検索装置。
【請求項６】
前記ルータ広告受信部は、
前記ＲＡ伝達装置から周期的に伝えられるＲＡメッセージを受信することを特徴とする請求項４に記載の情報サーバの位置検索装置。
【請求項７】
移動端末でハンドオーバー情報を受信する方法において、
ルータ広告（ＲＡ）伝達装置から、前記ハンドオーバー情報を提供する情報サーバのネットワーク上の位置情報及びＩＰｖ６アドレス設定に必要な情報を含むＲＡメッセージを受信するステップと、
前記ルータ広告メッセージに含まれた情報サーバの位置情報及びＩＰｖ６アドレス設定に必要な情報を抽出するステップと、
前記情報サーバの位置情報を利用して前記情報サーバにアクセスするステップと、
前記情報サーバから前記ハンドオーバー情報を受信するステップと、を含み、
前記ＲＡメッセージは、前記ＩＰｖ６アドレス設定に必要な情報を示すＩＰｖ６ＲＡメッセージと前記位置情報を表すオプションとを含み、
前記位置情報を表すオプションは、
前記オプションが位置情報オプションであることを表すタイプフィールドと、
前記位置情報の長さを表す長さフィールドと、
前記位置情報を含む位置情報フィールドと、を含むことを特徴とするハンドオーバー情報受信方法。
【請求項８】
前記ＲＡメッセージを受信するステップは、
前記移動端末から前記ＲＡ伝達装置に情報サーバの位置情報を要請するＲＳメッセージを伝送するステップと、
前記ＲＡ伝達装置から前記ＲＳメッセージに対応して伝送されたＲＡメッセージを受信するステップと、を含むことを特徴とする請求項７に記載のハンドオーバー情報受信方法。
【請求項９】
前記ＲＡメッセージを受信するステップは、
前記ＲＡ伝達装置から周期的に伝えられるＲＡメッセージを受信するステップを含むことを特徴とする請求項７に記載のハンドオーバー情報受信方法。
【請求項１０】
ハンドオーバー情報を受信する装置において、
ルータ広告（ＲＡ）伝達装置から、前記ハンドオーバー情報を提供する情報サーバのネットワーク上の位置情報及びＩＰｖ６アドレス設定に必要な情報を含むＲＡメッセージを受信するＲＡ受信部と、
前記ルータ広告メッセージに含まれた情報サーバの位置情報及びＩＰｖ６アドレス設定に必要な情報を抽出する位置情報抽出部と、
前記情報サーバの位置情報を利用して前記情報サーバにアクセスし、前記情報サーバから前記ハンドオーバー情報を受信するハンドオーバー情報受信部と、を備え、
前記ＲＡメッセージは、前記ＩＰｖ６アドレス設定に必要な情報を示すＩＰｖ６ＲＡメッセージと前記位置情報を表すオプションとを含み、
前記位置情報を表すオプションは、
前記オプションが位置情報オプションであることを表すタイプフィールドと、
前記位置情報の長さを表す長さフィールドと、
前記位置情報を含む位置情報フィールドと、を含むことを特徴とするハンドオーバー情報受信装置。
【請求項１１】
前記ハンドオーバー情報受信装置は、前記移動端末から前記ＲＡ伝達装置に情報サーバの位置情報を要請するＲＳメッセージを伝送するＲＳ伝送部をさらに備え、
前記ＲＡ受信部は、前記ＲＡ伝達装置から前記ＲＳメッセージに対応して伝送されたＲＡメッセージを受信することを特徴とする請求項１０に記載のハンドオーバー情報受信装置。
【請求項１２】
前記ＲＡ受信部は、
前記ＲＡ伝達装置から周期的に伝えられるＲＡメッセージを受信することを特徴とする請求項１０に記載のハンドオーバー情報受信装置。
【請求項１３】
移動端末からハンドオーバー情報を提供する情報サーバのネットワーク上の位置を検索する方法をコンピュータで実行させるためのプログラムを記録したコンピュータで読取可能な記録媒体において、
前記情報サーバの位置検索方法は、
ルータ広告（ＲＡ）伝達装置から、前記情報サーバのネットワーク上の位置情報及びＩＰｖ６アドレス設定に必要な情報を含むＲＡメッセージを受信するステップと、
前記ＲＡメッセージから前記位置情報及びＩＰｖ６アドレス設定に必要な情報を抽出するステップと、
前記抽出した位置情報を用いて前記情報サーバにハンドオーバー情報を要求するステップと、を含み、
前記ＲＡメッセージは、前記ＩＰｖ６アドレス設定に必要な情報を示すＩＰｖ６ＲＡメッセージと前記位置情報を表すオプションとを含み、
前記位置情報を表すオプションは、
前記オプションが位置情報オプションであることを表すタイプフィールドと、
前記位置情報の長さを表す長さフィールドと、
前記位置情報を含む位置情報フィールドと、を含むことを特徴とするコンピュータで読取可能な記録媒体。
【請求項１４】
移動端末からハンドオーバー情報を受信する方法をコンピュータで実行させるためのプログラムを記録したコンピュータで読取可能な記録媒体において、
前記ハンドオーバー情報受信方法は、
ルータ広告（ＲＡ）伝達装置から、前記ハンドオーバー情報を提供する情報サーバのネットワーク上の位置情報及びＩＰｖ６アドレス設定に必要な情報を含むＲＡメッセージを受信するステップと、
前記ルータ広告メッセージに含まれた情報サーバの位置情報及びＩＰｖ６アドレス設定に必要な情報を抽出するステップと、
前記情報サーバの位置情報を利用して前記情報サーバにアクセスするステップと、
前記情報サーバから前記ハンドオーバー情報を受信するステップと、を含み、
前記ＲＡメッセージは、前記ＩＰｖ６アドレス設定に必要な情報を示すＩＰｖ６ＲＡメッセージと前記位置情報を表すオプションとを含み、
前記位置情報を表すオプションは、
前記オプションが位置情報オプションであることを表すタイプフィールドと、
前記位置情報の長さを表す長さフィールドと、
前記位置情報を含む位置情報フィールドと、を含むことを特徴とするコンピュータで読取可能な記録媒体。
【発明の詳細な説明】
【技術分野】
【０００１】
本発明は、移動通信分野に係り、特に、情報サーバの位置を検索し、これを利用したハンドオーバー情報受信に関する。
【背景技術】
【０００２】
多様な無線環境が開発され、かつ使用されつつ、技術間の移動性支援に関する研究が活発になっている。このために、ＩＥＥＥ８０２標準では、８０２.２１（ＭＩＨ：Ｍｅｄｉａ  Ｉｎｄｅｐｅｎｄｅｎｔ  Ｈａｎｄｏｖｅｒ)技術を開発している。ＭＩＨ技術は、ＩＳ（Ｉｎｆｏｒｍａｔｉｏｎ  Ｓｅｒｖｉｃｅ）、ＥＳ（Ｅｖｅｎｔ  Ｓｅｒｖｉｃｅ）、ＣＳ（Ｃｏｍｍａｎｄ  Ｓｅｒｖｉｃｅ）に大別される。移動端末の周囲にいかなる無線技術があるか知るためには、ＩＳ技術を利用する。ＩＳ技術では、一般的に、ＩＳ情報サーバが存在する。
【０００３】
移動端末が必要な情報を得るためには、該情報サーバのネットワーク上の位置を発見する作業が必要である。しかし、現在ＩＥＥＥ８０２.２１標準では、どのように情報サーバを発見するか、すなわち、情報サーバのネットワーク上の位置情報をどのように獲得するかに関する技術を有しておらず、移動端末が情報サーバの位置を知っている場合、どのように情報サーバからハンドオーバー情報を受信するかについて定めている。すなわち、移動端末が情報サーバのネットワーク上の位置について知っていると仮定している。
【０００４】
本発明では、ＩＰｖ６環境でアドレス自動設定のために活用されているルータ広告(Ｒｏｕｔｅｒ  Ａｄｖｅｒｔｉｓｅｍｅｎｔ:ＲＡ)メッセージを活用して、情報サーバの位置を発見する方式を提案する。
【発明の概要】
【発明が解決しようとする課題】
【０００５】
本発明が解決しようとする課題は、ルータ広告(ＲＡ)メッセージを利用して、情報サーバのネットワーク上の位置を検索する方法及び装置、そして前記情報サーバの位置検索方法をコンピュータで実行させるためのプログラムを記録したコンピュータで読み取り可能な記録媒体を提供することである。
【０００６】
また、本発明が解決しようとする課題は、ルータ広告(ＲＡ)メッセージを利用して、情報サーバの位置を発見し、これを利用してハンドオーバー情報を受信する方法及び装置、そして前記ハンドオーバー情報受信方法をコンピュータで実行させるためのプログラムを記録したコンピュータで読み取り可能な記録媒体を提供することである。
【課題を解決するための手段】
【０００７】
前記課題を達成するために、本発明による移動端末でハンドオーバー情報を提供する情報サーバのネットワーク上の位置を検索する方法は、前記情報サーバのネットワーク上の位置情報を含むルータ広告(Ｒｏｕｔｅｒ  Ａｄｖｅｒｔｉｓｅｍｅｎｔ：ＲＡ)メッセージを受信するステップと、前記ＲＡメッセージから前記情報サーバのネットワーク上の位置情報を抽出するステップと、を含むことを特徴とする。
【０００８】
本発明によるハンドオーバー情報を提供する情報サーバのネットワーク上の位置を検索する装置は、前記情報サーバのネットワーク上の位置情報を含むＲＡメッセージを受信するルータ広告受信部と、前記ＲＡメッセージから前記情報サーバのネットワーク上の位置情報を抽出する位置情報抽出部と、を備えることを特徴とする。
【０００９】
本発明による移動端末でハンドオーバー情報を受信する方法は、前記ハンドオーバー情報を提供する情報サーバのネットワーク上の位置情報を含むＲＡメッセージを受信するステップと、前記ルータ広告メッセージに含まれた情報サーバの位置情報を抽出するステップと、前記情報サーバの位置情報を利用して前記情報サーバに接近するステップと、前記情報サーバから前記ハンドオーバー情報を受信するステップと、を含むことを特徴とする。
【００１０】
本発明によるハンドオーバー情報を受信する装置は、前記ハンドオーバー情報を提供する情報サーバのネットワーク上の位置情報を含むＲＡメッセージを受信するＲＡ受信部と、前記ルータ広告メッセージに含まれた情報サーバの位置情報を抽出する位置情報抽出部と、前記情報サーバの位置情報を利用して前記情報サーバに接近して、前記情報サーバから前記ハンドオーバー情報を受信するハンドオーバー情報受信部と、を備えることを特徴とする。
【発明の効果】
【００１１】
ＩＰｖ６環境では、ＲＡメッセージを通じて移動端末がアドレス設定及び通信に必要な情報を伝達される。したがって、すべてのＩＰｖ６環境では、ＲＡメッセージが伝えられねばならない。本発明では、このようなＲＡメッセージに情報サーバのネットワーク上の位置情報を含んで伝達させることによって、情報サーバの位置情報を伝達するために、別途の技術をさらに行う必要がない。また、ＲＡメッセージを利用したアドレス設定は、他の動作が行われる前に最初に行われる。したがって、本発明によれば、速かに情報サーバの位置情報を獲得して、情報サーバからハンドオーバー情報を受信するので、不要な時間遅延を避けて効率的なハンドオーバーが可能になる。
【図面の簡単な説明】
【００１２】
【図１】移動端末のハンドオーバーを示した図である。
【図２】移動端末が情報サーバからハンドオーバー情報を受信するところを示した図である。
【図３】本発明の一実施形態による情報サーバの位置検索装置を示したブロック図である。
【図４】本発明の一実施形態による情報サーバの位置検索方法を示したフローチャートである。
【図５】本発明の他の一実施形態による情報サーバの位置検索方法を示したフローチャートである。
【図６】本発明の一実施形態による情報サーバの位置検索が行われる移動通信環境を示す図である。
【図７】本発明の一実施形態によるハンドオーバー情報受信装置を示したブロック図である。
【図８】本発明の一実施形態によるハンドオーバー情報受信方法を示したフローチャートである。
【図９】本発明の一実施形態によるＲＡメッセージのフォーマットを示した図である。
【発明を実施するための形態】
【００１３】
以下、添付した図面を参照して、本発明による情報サーバの位置検索方法及び装置、そして、ハンドオーバー情報受信方法及び装置について詳細に説明する。
【００１４】
図１は、移動端末のハンドオーバーを示した図である。図１を参照するに、移動通信環境は、移動端末(ＭＮ：Ｍｏｂｉｌｅ  Ｎｏｄｅ)１、多数の連結点(ＰｏＡｓ：Ｐｏｉｎｔｓ  ｏｆ  Ａｔｔａｃｈｍｅｎｔ)２,３、相対ノード(ＣＮ：Ｃｏｒｒｅｓｐｏｎｄｅｎｔ  Ｎｏｄｅ)４、情報サーバ(ＩＳｓ：Ｉｎｆｏｒｍａｔｉｏｎ  Ｓｅｒｖｅｒｓ)５,６及び多数のネットワークで構成される。図１に示されたネットワークトポロジーは、説明のための一例に過ぎず、これと異なり、多様なトポロジーで構成されうる。
【００１５】
移動端末１は、移動通信環境を利用する装置である。移動通信を利用し始める時、移動端末１は、ホームネットワーク上のホームエージェント(図示せず)にホームアドレス(ＨｏＡ：Ｈｏｍｅ  Ａｄｄｒｅｓｓ)を登録する。移動端末１が他のネットワークに移動する時、移動した現在ネットワーク上のエージェントである外部エージェント(ＦＡ：Ｆｏｒｅｉｇｎ  Ａｇｅｎｔ)で補助アドレス(ＣｏＡ：Ｃａｒｅ  ｏｆ  Ａｄｄｒｅｓｓ)を獲得する。移動端末１は、獲得した補助アドレスＣｏＡをホームエージェントに送って登録する。ホームエージェントは、補助アドレスＣｏＡとホームアドレスＨｏＡとを対応させる。これをアドレスのバインディングという。
【００１６】
移動端末１がさらに他のネットワークに移動して、そのネットワークでの補助アドレスを獲得した場合、再びホームエージェントに伝達する。この時、ホームエージェントは、以前のバインディングを取消し、ホームアドレスと新たな補助アドレスとをバインディングするが、これをバインディング更新(ＢＵ：Ｂｉｎｄｉｎｇ  Ｕｐｄａｔｅ)という。
【００１７】
相対ノード４から移動端末１にデータを伝送するためには、相対ノード４は、移動端末１のアドレスを知っていなければならない。相対ノード４は、移動端末のホームアドレスＨｏＡを知っているので、受信アドレスとして移動端末のホームアドレスＨｏＡを設定してデータパケットを伝送する。ホームエージェントは、受信アドレスとしてホームアドレスＨｏＡが設定されたデータパケットを受信する。ホームエージェントは、ホームアドレスＨｏＡに対応する補助アドレスＣｏＡを知っているので、受信アドレスとして補助アドレスＣｏＡを設定してデータパケットを伝送する。データパケットは、ネットワークを経て移動端末１に伝えられる。
【００１８】
連結点ＰｏＡは、移動端末１をネットワークと連結する。連結点の例としては、アクセスポイント(Ａｃｃｅｓｓ  Ｐｏｉｎｔ：ＡＰ)、基地局（Ｂａｓｅ  Ｓｔａｔｉｏｎ：ＢＳ）があるが、これに限定されず、移動端末１とネットワークとの間のデータ伝送を行うものならば、連結点ＰｏＡとなりうる。
【００１９】
移動端末１が他のネットワークに移動する過程で、ハンドオーバーが行われる。図１には、移動端末１が現在の連結点２を通じてデータ通信を行うネットワーク領域にあり、新たな連結点３を通じてデータ通信を行うネットワーク領域に移動する例が示されている。
【００２０】
移動端末１は、現在の連結点２を通じて新たなネットワークと、そのネットワークでの連結点３とに関する情報を受信する。このような新たなネットワークと連結点とに関する情報は、情報サーバ５,６から伝達される。また、現在の連結点２が情報サーバの役割を行う場合、現在の連結点２から直接伝達される。移動端末１は、受信した情報を利用して新たなネットワークでいかなるネットワークプロトコルを使用するか、いかなるサービスを支援するかを知って、このために予め準備できる。このような情報をハンドオーバー情報という。
【００２１】
図２は、移動端末が情報サーバからハンドオーバー情報を受信するところを示した図である。図２を参照するに、移動端末１０がネットワークＡからネットワークＢまたはネットワークＣに移動する場合を表している。
【００２２】
移動端末１０は、ＭＩＨ(Ｍｅｄｉａ  Ｉｎｄｅｐｅｎｄｅｎｔ  Ｈａｎｄｏｖｅｒ)機能を有する端末である。移動端末１０は、ハンドオーバー情報を要請する情報要請メッセージを情報サーバ２０に送り(３０)、情報サーバからハンドオーバー情報を受信する(４０)。移動端末１０は、受信した情報を利用して、周辺ネットワーク(ネットワークＢまたはＣ)へのハンドオーバーを行う。
【００２３】
情報サーバ２０は、ハンドオーバーに必要な情報を有している装置である。ハンドオーバー情報には、周辺ネットワーク(ネットワークＢまたはＣ)に関する情報が含まれる。情報サーバ２０は、移動端末１０から情報要請を受ければ(３０)、必要な情報を移動端末１０に伝送する(４０)。
【００２４】
移動端末は、自身のネットワークで接続可能な情報サーバを把握して、移動性に必要なハンドオーバー情報を要請する。移動端末から情報要請メッセージを受信した情報サーバは、移動端末の周辺に位置するネットワークの情報のうち、必要な情報を含むメッセージを移動端末に伝送して応答する。情報サーバから応答メッセージを受信した移動端末は、自身が必要な情報をメッセージから抽出して保管し、これを利用して、自身が必要な移動決定を行う。
【００２５】
しかし、移動端末は、ネットワーク上で随時移動し、情報サーバも多数が存在するため、移動端末が必要な情報をどの情報サーバに要請せねばならないかを決定する手段が必要である。しかし、現在ＩＥＥＥ８０２.２１標準では、どのように情報サーバを発見するか、すなわち、情報サーバのネットワーク上の位置情報をどのように獲得するかに関する技術を有しておらず、移動端末が情報サーバの位置を知っている場合、どのように情報サーバからハンドオーバー情報を受信するかについてのみ定めている。
【００２６】
図３は、本発明の一実施形態による情報サーバの位置検索装置を示したブロック図である。図３を参照するに、本発明による情報サーバ位置検索装置１００は、要請メッセージ伝送部１１０、ルータ広告（ＲＡ）受信部１２０及び位置情報抽出部１３０を備えることが望ましい。
【００２７】
図４は、本発明の一実施形態による情報サーバの位置検索方法を示したフローチャートである。要請メッセージ伝送部１１０は、移動端末からＲＡ伝達装置に情報サーバの位置情報を要請するルータ要請(ＲＳ：Ｒｏｕｔｅｒ  Ｓｏｌｉｃｉｔａｔｉｏｎ）メッセージを伝送する(１４０)。
【００２８】
ルータ広告受信部１２０は、ＲＡ伝達装置から前記ＲＳメッセージに対応して伝送されたＲＡメッセージを受信する(１５０)。
【００２９】
位置情報抽出部１３０は、ＲＡメッセージから情報サーバのネットワーク上の位置情報を抽出する(１６０)。
【００３０】
ＲＡ伝達装置は、ＲＳメッセージに対応してＲＡメッセージを伝送することもあるが、周期的にＲＡメッセージを伝送することもある。
【００３１】
図５は、本発明の他の一実施形態による情報サーバの位置検索方法を示したフローチャートである。図５の実施形態で、ルータ広告受信部１２０は、ＲＡ伝達装置が周期的に伝送するＲＡメッセージを受信する(１７０)。
【００３２】
位置情報抽出部１３０は、ＲＡメッセージから情報サーバのネットワーク上の位置情報を抽出する(１８０)。
【００３３】
図６は、本発明の一実施形態による情報サーバの位置検索が行われる移動通信環境を示す図である。ＩＰｖ６環境では、ＲＡメッセージを利用してＩＰｖ６アドレス設定に必要な情報を移動端末に提供している。また、ＤＮＳサーバアドレスも、ＲＡメッセージに含まれて移動端末に伝達される。したがって、ＲＡメッセージに情報サーバのネットワーク上の位置情報を含んで伝達することが望ましい。
【００３４】
ＲＡ伝達装置は、移動端末にＲＡメッセージを伝送する装置である。本発明によるＲＡ伝達装置１９５は、ＲＡメッセージに情報サーバの位置情報を含んで移動端末１９０,１９２に伝達する。ＲＡ伝達装置１９５は、一般的に、ＩＰｖ網のアクセスルータがその機能を行うが、これに限定されず、情報サーバの位置情報を含むＲＡメッセージを移動端末に伝送する装置ならば、本発明によるＲＡ伝達装置１９５となりうる。
【００３５】
ＲＡ伝達装置１９５が移動端末１９０,１９２にＲＡメッセージを伝達する方式は、次の２つの方式が可能である。
【００３６】
第１方式：移動端末１９０は、自身のネットワークまたは新たなネットワークからハンドオーバー情報を受信しようとする場合、ＲＡ伝達装置１９５に情報サーバの位置情報を要請するＲＳメッセージを伝送する(２００)。本発明によるＲＡ伝達装置は、ＲＳメッセージを受信すれば、これに応答して、情報サーバのネットワーク上の位置情報を含むＲＡメッセージを伝送する(２１０)。
【００３７】
第２方式：一方、ＲＡ伝達装置１９０は、一定の時間インターバルを有して周期的にＲＡメッセージを伝送する(２２０)。したがって、移動端末１９０は、ＲＡ伝達装置１９０から周期的に伝えられるＲＡメッセージを受信できる。
【００３８】
２つの方式で、移動端末１９０は、ＲＡメッセージから情報サーバの位置情報を抽出し、これを利用して、情報サーバから移動性判断に必要な情報を受信できる。
【００３９】
図７及び図８を参照して、ＲＡメッセージを利用して情報サーバの位置を発見し、これを利用して、ハンドオーバー情報を受信する装置及び方法について説明する。
【００４０】
図７は、本発明の一実施形態によるハンドオーバー情報受信装置を示したブロック図であり、図８は、本発明の一実施形態によるハンドオーバー情報受信方法を示したフローチャートである。図７を参照するに、本発明によるハンドオーバー情報受信装置３００は、ＲＡ受信部３１０、ＲＳ伝送部３２０、位置情報抽出部３３０及びハンドオーバー情報受信部３４０を備えることが望ましい。
【００４１】
ＲＡ受信部３１０は、ＲＡ伝達装置から情報サーバの位置情報を含むＲＡメッセージを受信する(４００)。ＲＡ伝達装置がＲＡメッセージを伝達する方式には、図６を参照して説明したように、２つの方式がある。
【００４２】
第１方式の場合、ＲＳ伝送部３２０は、ＲＡ伝達装置から情報サーバの位置情報を要請するＲＳメッセージを伝送する。ＲＡ受信部３１０は、ＲＳメッセージに応答して、ＲＡ伝達装置が伝送したＲＡメッセージを受信する。
【００４３】
第２方式の場合、ＲＡ受信部３１０は、ＲＡ伝達装置が周期的に伝送するＲＡメッセージを受信する。
【００４４】
位置情報抽出部３３０は、受信したＲＡメッセージから情報サーバの位置情報を抽出する(４１０)。
【００４５】
ハンドオーバー情報受信部３４０は、情報サーバの位置情報を利用して情報サーバに接近し(４２０)、情報サーバからハンドオーバー情報を受信する(４３０)。
【００４６】
図９は、本発明の一実施形態によるＲＡメッセージのフォーマットを示した図である。図９を参照するに、本発明によるＲＡメッセージは、従来の技術による既存のＩＰｖ６ルータ広告メッセージ５１０に位置情報を表すオプションを追加したものである。
【００４７】
位置情報を表すオプションは、タイプフィールド５２０、長さフィールド５３０及び位置情報フィールド５５０を含む。また、今後規格の変化に対応して、留保フィールド５４０をさらに含むことが望ましい。
【００４８】
タイプフィールド５２０は、追加されるオプションが位置情報オプションであることを表す。長さフィールド５３０は、位置情報の長さを表す。
【００４９】
位置情報フィールド５５０は、情報サーバのネットワーク上の位置情報を含む。
【００５０】
本発明は、コンピュータで読取可能な記録媒体にコンピュータ(情報処理機能を有する装置をいずれも含む)可読コードとして具現できる。コンピュータで読取可能な記録媒体は、コンピュータシステムによって読み取られるデータが保存されるすべての種類の記録装置を含む。コンピュータで読取可能な記録装置の例としては、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ−ＲＯＭ、磁気テープ、フロッピー（登録商標）ディスク、光データ保存装置がある。
【００５１】
たとえ、前記説明が多様な実施形態に適用される本発明の新規な特徴に焦点を合わせて説明されたとしても、当業者は、本発明の範囲を逸脱せずに前記説明された装置及び方法の形態及び細部事項で多様な削除、代替、及び変更が可能であるということが分かるであろう。したがって、本発明の範囲は、前記説明より特許請求の範囲によって定義される。特許請求の範囲の均等範囲内のすべての変形は、本発明の範囲に含まれる。
【産業上の利用可能性】
【００５２】
本発明は、移動通信関連の技術分野に好適に適用可能である。
【図１】
0005551591.tif 000002
【図２】
0005551591.tif 000003
【図３】
0005551591.tif 000004
【図４】
0005551591.tif 000005
【図５】
0005551591.tif 000006
【図６】
0005551591.tif 000007
【図７】
0005551591.tif 000008
【図８】
0005551591.tif 000009
【図９】
0005551591.tif 000010